(57)【要約】【課題】作業者による端末操作を伴うことなく、作業者の動静を自動的に把握できるようにすることである。【解決手段】現場動静管理システム１０は、作業者８が携行するＩＤカード２０、保守対象装置であるエレベータ１１の乗りかご１４の操作盤３０に設けられるＩＤカード読取器２２、操作盤３０と操作制御信号線４６によって接続される主制御装置５０に設けられる送受信器５２、送受信器５２とインターネット回線５８によって接続される現場動静管理装置６０を含んで構成される。現場動静管理装置６０のＣＰＵ６２は、作業者８の点検作業計画等を管理する点検予定管理部７４と、作業者８の動静に関して、ＩＤカード読取器２２からインターネット回線５８を介して入力されたデータを管理する動静入力管理部７６を含んで構成される。【選択図】図１
2008283448.tif 000002
【特許請求の範囲】
【請求項１】
作業者ごとに保持され、作業者の識別情報を有するＩＤカードと、
点検対象装置の操作盤にそれぞれ設けられるＩＤカード読取器と、
ＩＤカード読取器によって読み取られたデータを、ネットワークを介して現場動静管理装置に送信する送信器と、
送信されたＩＤデータを点検対象装置と受信時刻とに関連付けて、作業者ごとの現場動静データとして管理する現場動静管理装置と、
を備えることを特徴とする現場動静管理システム。
【請求項２】
請求項１に記載の現場動静管理システムにおいて、
点検対象装置がエレベータであることを特徴とする現場動静管理システム。
【請求項３】
請求項２に記載の現場動静管理システムにおいて、
ＩＤカード読取器がエレベータのかご内操作盤あるいは特定の操作盤に設けられることを特徴とする現場動静管理システム。
【請求項４】
請求項２に記載の現場動静管理システムにおいて、
エレベータ各階ボタンの入力を時刻入力に変換する変換モードを備え、
送信器は、エレベータ各階ボタンの操作によって入力された時刻を現場動静管理装置に送信することを特徴とする現場動静管理システム。
【請求項５】
請求項１から４のいずれか１に記載の現場動静管理システムにおいて、
ＩＤカードは非接触式ＩＤカードであることを特徴とする現場動静管理システム。
【発明の詳細な説明】
【技術分野】
【０００１】
本発明は現場動静管理システムに係り、特に、作業者ごとの現場動静データを管理する現場動静管理システムに関する。
【背景技術】
【０００２】
ビルの設備、例えば、エレベータ、エスカレータ、配電設備、給排水設備等について、その維持管理、保守等については、専門の保守担当会社等によって運営されている場合がある。このような保守担当会社は、保守専門家である保守作業員を複数有し、定期的な保守点検、あるいは顧客による個別依頼等に応じて、対象となるビルの設備に保守作業員を派遣する。
【０００３】
保守作業員は、必要な保守用備品、診断ツール等を携行して、保守作業現場に赴くことになるが、その動静の把握には、様々な方法が取られる。最も簡単な方法は、保守作業員が保守担当会社を出発するときと、帰社したときに、その都度記録簿に記録し、あるいは上司等に報告することである。これをコンピュータ化し、中央の情報管理センタと複数の端末とをネットワークで結び、各保守作業員が端末から保守作業の開始と終了等を入力するシステムを構築することができる。
【０００４】
各端末は、保守担当会社の所定の記録サイト等に固定して設けることもでき、あるいは保守担当会社の各作業員の机にそれぞれ配置することもできる。さらに進んだ形としては、端末を各作業者が作業現場に携行できる移動端末とし、作業現場で保守作業の開始時刻、終了時刻等を入力するものとできる。この場合に、移動端末を適当なネットワーク接続手段によって中央の情報管理センタと接続して、リアルタイム管理とすることもでき、また、移動端末に各データを一旦記憶し、保守担当会社に帰社後、中央の情報管理センタとネットワークを介してその記憶データを転送するものとできる。
【０００５】
例えば、特許文献１には、安否動静管理方法等として、ＧＰＳ機能つきの携帯端末を各作業者が有し、作業の区切りごとに例えばボタン押下等で作業状態や時刻が入力されて安否動静サーバにネットワークを介して動静情報が送られることが開示されている。ここでは、監視間隔以上の期間に渡って動静入力がないときに、安否応答を問い合わせ、さらに応答がないときは、近隣作業者を検索し支援出動指示を出すことが述べられている。
【０００６】
【特許文献１】特開２００５−２４４７５０号公報
【発明の開示】
【発明が解決しようとする課題】
【０００７】
このように、コンピュータとネットワーク等を用いた作業者動静管理システムを構築することができ、実際に運用もされている。しかしながら、これらの方法は、作業者によるキーボード操作等のデータ入力を伴い、作業者による入力ミス、入力忘れが生じることがある。このような場合、作業者の動静を確実に把握することが困難となる場合がある。
【０００８】
本発明の目的は、作業者の端末操作を伴うことなく、作業者の動静を自動的に把握できる現場動静管理システムを提供することである。
【課題を解決するための手段】
【０００９】
本発明に係る現場動静管理システムは、作業者ごとに保持され、作業者の識別情報を有するＩＤカードと、点検対象装置の操作盤にそれぞれ設けられるＩＤカード読取器と、ＩＤカード読取器によって読み取られたデータを、ネットワークを介して現場動静管理装置に送信する送信器と、送信されたＩＤデータを点検対象装置と受信時刻とに関連付けて、作業者ごとの現場動静データとして管理する現場動静管理装置と、を備えることを特徴とする。
【００１０】
まは、本発明に係る現場動静管理システムにおいて、点検対象装置がエレベータであることが好ましい。
【００１１】
また、本発明に係る現場動静管理システムにおいて、ＩＤカード読取器がエレベータのかご内操作盤あるいは特定の操作盤に設けられることが好ましい。
【００１２】
また、本発明に係る現場動静管理システムにおいて、エレベータ各階ボタンの入力を時刻入力に変換する変換モードを備え、送信器は、エレベータ各階ボタンの操作によって入力された時刻を現場動静管理装置に送信することが好ましい。
【００１３】
また、本発明に係る現場動静管理システムにおいて、ＩＤカードは非接触式ＩＤカードであることが好ましい。
【発明の効果】
【００１４】
上記構成の少なくとも１つにより、現場動静管理システムは、点検対象装置の操作盤にＩＤカード読取器が設けられ、作業者のＩＤカードから読み取られたデータが、ネットワークを介して現場動静管理装置に送信され、送信されたＩＤデータが点検対象装置と受信時刻とに関連付けて、作業者ごとの現場動静データとして管理される。このように、ＩＤカードのデータを作業現場のＩＤカード読取器で読み取るのみで、作業者の端末操作によるデータ入力を伴うことなく、作業者ごとの現場動静データを管理できる。
【００１５】
また、現場動静管理システムにおいて、点検対象装置がエレベータである場合は、ＩＤカード読取器がエレベータのかご内操作盤あるいは特定の操作盤に設けられる。かご内操作盤は、エレベータの保守の際、ほとんどの場合使用する操作盤であるので、ここにＩＤカード読取器を設けることで、作業者のＩＤカードの読み取り忘れ等を抑制することができる。かご内操作盤以外にも、保守の際に必ず使用する可能性の高い操作盤を特定し、その特定操作盤にＩＤカード読取器を設けるものとしても同様である。
【００１６】
また、現場動静管理システムにおいて、エレベータ各階ボタンを操作し、その入力を時刻入力に変換して、入力された時刻を現場動静管理装置に送信するので、作業現場における正確な時刻に関連付けて作業者動静を管理することができる。
【００１７】
また、現場動静管理システムにおいて、非接触式の識別カードを用いるので、作業者はＩＤカード読取器の付近に行くだけで、ＩＤデータが現場動静管理装置に送信され、データの入力忘れ等を防止できる。
【発明を実施するための最良の形態】
【００１８】
以下に図面を用いて、本発明に係る実施の形態につき詳細に説明する。以下では、現場動静管理ステムが適用される点検対象装置を、ビル等に設けられたエレベータとして説明するが、エレベータ以外の点検対象装置であってもよい。例えば、エスカレータ、配電設備、給排水設備等であってもよく、これらの場合には、これらの装置の操作盤にＩＤカード読取器が設けられることで、本発明が実施できる。また、以下では、エレベータとして、送信装置が配置される機械室が最上階にある構成として説明するが、機械室を特に置かない構成とし、送信装置を適当に配置するエレベータであってもよい。
【００１９】
また、以下では、現場動静管理装置は、保守点検の対象ビルとは異なる場所に配置され、送信装置との間がインターネット回線で接続されるものとして説明するが、接続は専用のネットワーク回線であってもよい。また、保守点検の対象ビルが大規模ビル等の場合に、現場動静管理装置をそのビルの中に設け、ビル内のネットワークによって保守点検対象装置に関する送信装置と接続されるものとしてもよい。
【００２０】
また、以下では、現場動静管理装置は、作業者の動静管理のみをするものとして説明し、現場動静管理表も作業者の動静管理に関するデータのみの管理表として説明するが、現場動静管理は、保守対象装置の保守点検結果等の管理と密接な関係があることが多い。そこで、現場動静管理装置の機能を、保守点検管理のための管理装置の機能の一部としてもよく、現場動静管理表を、保守点検管理のための管理表の一部として管理するものとしてもよい。
【００２１】
図１は、現場動静管理システム１０の構成を示す図で、ここでは、ビル内のエレベータ１１が作業者８による点検対象の装置である。現場動静管理システム１０は、このエレベータ１１の保守点検を行うために赴いた作業者８の現場動静、例えば、このエレベータ１１に到着した時刻、あるいは保守点検作業の着手時刻、終了時刻等を、現場動静管理装置６０において管理するシステムである。
【００２２】
最初に、点検対象装置であるビル内のエレベータ１１の概要を説明する。エレベータ１１は、基本的要素として、昇降路１２、昇降路１２を昇降する乗りかご１４、昇降路１２の上部、例えばビルの最上階の機械室に設けられ、乗りかご１４を主ロープ１５によって昇降させる巻上機１６、乗りかご１４の運行等を制御する主制御装置５０を含んで構成される。
【００２３】
図１においては、エレベータ１１の乗りかご１４の中にいる作業者８が、乗りかご１４の操作盤３０を用いて保守点検作業を行っている様子が示されている。ここで、この保守点検対象装置であるエレベータ１１における現場動静管理システム１０の構成要素としては、作業者８が携行するＩＤカード２０、乗りかご１４の操作盤３０に設けられるＩＤカード読取器２２、操作盤３０と主制御装置５０とを接続する操作制御信号線４６、主制御装置５０に設けられ、インターネット回線を介して外部と接続される送受信器５２が示されている。
【００２４】
現場動静管理システム１０は、上記のように点検対象装置に設けられるＩＤカード読取器２２、送受信器５２と、外部の保守担当会社等に設置される現場動静管理装置６０とを含んで構成される。送受信器５２と現場動静管理装置６０とは、インターネット回線５８によって接続される。
【００２５】
作業者８が携帯するＩＤカード２０は、保守担当の作業者８ごとに保持され、保守作業者身分を有することを示す識別情報が書き込まれた識別カードである。図２にＩＤカード２０の例を示す。ＩＤカード２０は、例えば、顔写真と社員コードと氏名が記載され、さらに詳細な識別データが書き込まれ無線によってデータの送受信が可能なＩＣチップ２１が埋め込まれた非接触式ＩＤカードである。かかるＩＣチップ２１としては、送受信アンテナと、受け取った無線信号を電力に変換する機能と共にデータを送受信する送受信回路と、変換された電力を蓄える２次電池と、電気的に書き換え可能なメモリ等を集積化した半導体チップを用いることができる。
【００２６】
ＩＤカード読取器２２は、ＩＤカード２０が近接したことを検出して、検出されたＩＤカード２０と無線で交信する装置で、いわゆる非接触式カードリーダライタである。交信によってＩＤカード２０との間でデータの送受信が行われ、必要な場合にはＩＤカード２０に電力を送信することができる。ここでは特に、ＩＤカード２０の近接を検出し、ＩＤカード２０に書き込まれている識別情報を読み取る機能を有する。これによって、ＩＤカード２０を保持する者、すなわち作業者８がＩＤカード読取器２２の近傍にいることを検出できる。
【００２７】
ＩＤカード読取器２２は、上記のように、乗りかご１４の操作盤３０の中に設けられる。図３は、操作盤３０の詳細を示す図である。図３（ａ）には、操作盤３０が組み込まれるパネル盤２４が示され、（ｂ）には操作盤３０の蓋３２を開いた様子が示されている。以下では、図１、図２の要素と同様の要素には同一の符号を付し、詳細な説明を省略する。また、以下では、図１、図２の符号を用いて説明する。
【００２８】
ここでパネル盤２４とは、乗りかご１４の入口付近の内壁に設けられ、乗客が行き先の階を指示するための希望階ボタン２６と、かご扉の開閉制御を手動で行うための扉開ボタン２８、扉閉ボタン２９が配置されるものである。このパネル盤２４の一部に、鍵のかけられている小扉があるが、この小扉が操作盤３０の蓋３２で、これを開けることで、操作盤３０の操作面が現れる。
【００２９】
操作盤３０は、保守担当の作業者８等が保持する管理鍵によって小扉である蓋３２を開けることができる。つまり、一般乗客にとっては、触れる機会のないものであるが、作業者８が乗りかご１４に関する保守点検を行う際には、必ず蓋３２を開けて使用するものである。図３（ｂ）には、蓋３２を開けて操作面を現した状態が示される。なお、蓋３２には、鍵３４が示されている。
【００３０】
操作盤３０には、乗りかご１４に関する点検を行うための複数の点検スイッチ３６が設けられるもので、乗りかご１４の内壁に設けられるので、これを、かご内操作盤と呼ぶことができる。図３（ｂ）の例では、天井照明の点検を行うためのオン・オフスイッチ、乗りかご１４の運転と停止とを切り換える切換スイッチ、乗りかご１４の運行を自動運行制御と手動制御との間で切り換える切換スイッチ、乗りかご１４の換気ファンの点検を行うためのオン・オフスイッチが示されている。
【００３１】
そして、非接触式のＩＤカード読取器２２が、この操作盤３０の内部に配置されている様子が破線で示されている。このＩＤカード読取器２２は、操作制御信号線４６を構成する識別情報伝送信号線によって、主制御装置５０に設けられる送受信器５２と接続される。
【００３２】
上記のように、作業者８は、ＩＤカード２０を携行しており、作業者８が乗りかご１４の保守点検を行うときは必ず鍵を用いて操作盤３０の蓋３２を開ける。操作盤３０の蓋３２を開けて現れる操作面の背後には、非接触式ＩＤカード読取器２２が設けられているので、作業者８が蓋３２を開けることで、ＩＤカード読取器２２は、ＩＤカード２０からＩＤ信号を受信することができる。このようにして受信されたＩＤ信号は、送受信器５２、インターネット回線５８を介して、現場動静管理装置６０に送られることになる。すなわち、作業者８が点検作業を行っているうちに、そのＩＤ信号がＩＤカード読取器２２によって自動的に取得され、自動的に現場動静管理装置６０に送られる。
【００３３】
上記では、ＩＤカード読取器２２を非接触式のものとしたが、これを接触式、例えば、カード挿入によってＩＤ信号を受信する型式のものとしてもよい。この場合には、図３（ｂ）において、ＩＤカード２０を挿入するためのカード挿入口が現れることになる。
【００３４】
そこで、例えば、作業者８はＩＤカード２０を挿入すべきことに気づき、あるいは、所定の手順として定められている通りに、携行しているＩＤカード２０をそのカード挿入口に挿入する。ＩＤカード２０を抜くのは、その乗りかご１４の保守点検が終了して、蓋３２を再び閉じるときとしてもよい。このようにすることで、ＩＤカード２０の挿入時期をその乗りかご１４の点検開始とし、抜き去るときをその乗りかご１４の点検終了時期として扱うことができる。
【００３５】
上記のように、ＩＤカード読取器によってＩＤカードのＩＤデータが受信されるので、受信時刻と対応させることで、少なくともＩＤカード読取器の近傍に作業者がいる時刻を特定できる。さらに、具体的に点検作業と対応する時刻を特定して現場動静管理装置に送信するには、作業者による時刻入力を用いることができる。そこで以下に、特別な時刻入力手段を用いずに、作業者による時刻入力を可能にする例を説明する。以下では図１から図３の要素と同様の要素には同一の符号を付し、詳細な説明を省略する。また、以下では、図１から図３、図２の符号を用いて説明する。
【００３６】
図４は、パネル盤２４の希望階ボタン２６、扉開ボタン２８、扉閉ボタン２９と、入力変換表７８を用いて、時刻入力を可能にする方法を説明する図である。図４（ａ）は、説明を容易にするために図３（ａ）を再度図示したもので、図４（ｂ）が、希望階ボタン２６、扉開ボタン２８、扉閉ボタン２９の操作を、時刻入力に変換するための入力変換表７８である。
【００３７】
なお、この入力変換表７８を用いる変換モードは、例えば、ＩＤカード読取器２２がＩＤデータを受信している間等の条件を付すことができる。変換モードを用いる条件として、さらに、乗りかご１４の運行を自動運行制御から手動制御に切り換えたときとすることもできる。すなわち、このような条件が満たされたときに、希望階ボタン２６、扉開ボタン２８、扉閉ボタン２９が操作された場合は、図４（ｂ）の入力変換表７８を用いて、時刻入力がされたものと扱うことができる。扱われた時刻入力データは、送受信器５２、インターネット回線５８を介し、現場動静管理装置６０に伝送される。
【００３８】
図４（ｂ）の入力変換表７８は、希望階ボタン２６、扉開ボタン２８、扉閉ボタン２９と、入力変換表７８の操作を、時刻を構成する１桁数字に変換する等のための変換ルールを示すものである。入力変換表７８によれば、扉開ボタン２８の押し操作が、点検作業の「開始」を示すものとして変換され、扉閉ボタン２９の押し操作が、点検作業の「終了」を示すものとして変換される。そして、希望階ボタン２６の各ボタンの２ビットの押し操作が、「１」から「０」までの数字にそれぞれ変換される。
【００３９】
一例を上げると、点検開始時刻が、９時２４分であるときは、扉開ボタン２８を押し、続いて、「２」ボタン、「５」ボタン、「２」ボタン、「４」ボタンを押すことで、「０９」に変換し、さらに「１」ボタン、「２」ボタン、「１」ボタン、「４」ボタンを押すことで「２４」に変換する。入力変換表７８を用いることで、これらの操作は、「開始０９２４」に変換される。
【００４０】
このようにして、特別な時刻入力手段を用いずに、作業者８による時刻入力が可能となる。なお、図４は、１階から５階までの希望階ボタン２６があるパネル盤２４の場合の例であって、これ以外のパネル盤の構成であっても同様の考え方で、複数のボタンの操作を時刻入力に変換することが可能である。
【００４１】
再び図１に戻り、現場動静管理装置６０の構成を説明する。現場動静管理装置６０は、複数の作業者８の点検作業における現場動静を一括管理する装置である。現場動静管理装置６０は、ＣＰＵ６２と、インターネット回線５８を介して保守点検対象装置と交信するための通信制御部６４と、必要なデータ等を入力するためのキーボード等の入力部６６と、現場動静管理データを必要に応じて出力するディスプレイ、プリンタ等の出力部６８、現場動静管理データ、現場動静管理プログラム等を記憶する記憶装置７０、時刻を取得する計時手段７２等を含んで構成される。これらの要素は、相互に内部バスで接続される。かかる現場動静管理装置６０は、適当なコンピュータで構成することができる。勿論、複数の信号処理電子回路および駆動電気回路等の電気回路要素を組み合わせて構成することもできる。
【００４２】
ＣＰＵ６２は、複数の作業者８の点検作業計画等を管理する点検予定管理部７４と、点検作業計画に従って点検対象装置に赴いた作業者８の動静に関して、点検対象装置からインターネット回線５８を介して入力されたデータを管理する動静入力管理部７６を含んで構成される。これらの機能は、ソフトウェアによって実現され、具体的には、現場動静管理プログラムを実行することで実現できる。
【００４３】
上記構成の作用、特に現場動静管理装置６０のＣＰＵ６２の各機能について、図５の現場動静管理表８０を用いて説明する。以下では、図１から図４の要素と同様の要素には同一の符号を付し、詳細な説明を省略する。また、以下では、図１から図４の符号を用いて説明する。
【００４４】
現場動静管理表８０は、現場動静管理装置６０によって逐次作成される作業者８の動静を記憶し、管理する状態を示す表である。なお、図５は、説明のために示す一例である。また、現場動静管理装置６０においては、必ずしもこのような表形式で記憶あるいは演算処理等が行われるわけではない。コンピュータで構成される現場動静管理装置６０においては、現場動静管理表８０に示される各項目の内容が、各項目を検索キーとして記憶され、演算のために読み出されて、処理が実行される。
【００４５】
現場動静管理表８０は、複数の項目と、各項目に対応するデータを有する。図５では、点検対象装置が配置されるビル名８２、点検対象装置を特定するための機種名８４、点検日８６、保守作業者名等を示す保守作業員８８、開始時刻９２、終了時刻９４等が示されている。これらの項目以外として、図５には、出発時刻、帰社時刻が例として示されている。
【００４６】
ビル名８２、機種名８４、点検日８６、保守作業員８８の項目には、現場動静管理装置６０のＣＰＵ６２の点検予定管理部７４の機能によって、予め対応するデータが入力される。図５の例では、ＦビルのＡＺ４−３号機について、０７年０４月２０日に、社員コード１２３４５６である作業者三菱太郎が点検作業予定であることが入力されている。
【００４７】
このデータは、例えば、作業者三菱太郎の端末に出力され、作業者三菱太郎は事前にこの点検予定が知らされている。そこで、当日、作業者三菱太郎は、保守作業者である身分を示すＩＤカード２０を携行し、点検予定に従って、ＦビルのエレベータＡＺ４−３号機に赴くことになる。
【００４８】
Ｆビルの点検対象エレベータ１１において、作業者８である三菱太郎は、乗りかご１４の点検をするため、乗りかご１４の操作盤３０の蓋３２を管理鍵で開ける。上記のように、このときにＩＤカード読取器２２が、作業者８である三菱太郎のＩＤカード２０からＩＤデータを受信する。受信されたＩＤデータは、例えば「社員コード１２３４５６氏名三菱太郎」というような内容である。
【００４９】
受信されたＩＤデータは、送受信器５２、インターネット回線５８を介し、現場動静管理装置６０に伝送される。現場動静管理装置では、伝送されてきた「社員コード１２３４５６氏名三菱太郎」を検索キーとして、図５に示す現場動静管理表の保守作業員８８のデータを検索する。検索は、伝送されてきたデータと、既に入力されているデータとの一致を見ることで行われる。図５では、一致したことが、破線枠９０で示されている。
【００５０】
このようにして、伝送されてきたＩＤデータに基づいて、現場動静管理表８０における保守作業員が特定されると、その特定された保守作業員の動静を示すデータが入力される項目欄が特定される。図５では、開始時刻９２と、終了時刻９４の項目欄に破線枠が示されているが、これは、この破線枠のところに動静データが入力されることを示している。
【００５１】
ここで、「社員コード１２３４５６氏名三菱太郎」のＩＤデータを現場動静管理装置６０が最初に受信した時刻が、開始時刻９２の欄に入力される。受信した時刻は、現場動静管理装置６０の計時手段７２によって取得されるので、そのデータが開始時刻９２の欄に入力される。これによって、作業者８である三菱太郎の現場動静データの１つが開始時刻として、現場動静管理表８０に記憶されたことになる。
【００５２】
開始時刻９２の欄にデータが記憶されると、それ以後の「社員コード１２３４５６氏名三菱太郎」のＩＤデータの受信時刻は、終了時刻９４の欄に逐次更新されながら記憶される。すなわち、「社員コード１２３４５６氏名三菱太郎」のＩＤデータが送信され、受信されている間、終了時刻９４のデータは、時々刻々更新される。そして、ＩＤデータの送信がなくなったときに、終了時刻９４の欄のデータの更新が停止する。これによって、作業者８である三菱太郎の現場動静データの１つが、終了時刻として、現場動静管理表８０に記憶されたことになる。
【００５３】
このようにして、現場動静管理装置６０は、送信されてきたＩＤデータを、点検対象装置と、受信時刻とに関連付けて、作業者８ごとの現場動静データとして管理することができる。
【図面の簡単な説明】
【００５４】
【図１】本発明に係る実施の形態における現場動静管理システムの構成を示す図である。
【図２】本発明に係る実施の形態において用いられるＩＤカードの例を示す図である。
【図３】本発明に係る実施の形態において、操作盤の詳細を示す図である。
【図４】本発明に係る実施の形態において、パネル盤のボタンと入力変換表を用いて、時刻入力を行う様子を説明する図である。
【図５】本発明に係る実施の形態における現場動静管理表の例を示す図である。
【符号の説明】
【００５５】
８  作業者、１０  現場動静管理システム、１１  エレベータ、１２  昇降路、１４  乗りかご、１５  主ロープ、１６  巻上機、２０  ＩＤカード、２１  ＩＣチップ、２２  ＩＤカード読取器、２４  パネル盤、２６  希望階ボタン、２８  扉開ボタン、２９  扉閉ボタン、３０  操作盤、３２  蓋、３４  鍵、３６  点検スイッチ、４６  操作制御信号線、５０  主制御装置、５２  送受信器、５８  インターネット回線、６０  現場動静管理装置、６２  ＣＰＵ、６４  通信制御部、６６  入力部、６８  出力部、７０  記憶装置、７２  計時手段、７４  点検予定管理部、７６  動静入力管理部、７８  入力変換表、８０  現場動静管理表、８２  ビル名、８４  機種名、８６  点検日、８８  保守作業員、９０  破線枠、９２  開始時刻、９４  終了時刻。
【図１】
2008283448.tif 000003
【図２】
2008283448.tif 000004
【図３】
2008283448.tif 000005
【図４】
2008283448.tif 000006
【図５】
2008283448.tif 000007